(57)【要約】【課題】  中綴じ及び中折り時の出力結果を良好なものとすることができる画像形成システム、その制御方法、及び記憶媒体、並びに画像形成装置、その制御方法、及び記憶媒体を提供する。【解決手段】  出力条件を検知し、出力条件に応じて画像をレイアウトし画像形成を行う。【選択図】  図８
2005142609.tif 000002
【特許請求の範囲】
【請求項１】
記憶手段に画像を記憶する画像記憶手段と、前記記憶手段に記憶された画像を記録媒体上に画像形成する画像形成手段を有する画像形成装置において、
出力条件を検知する出力条件検知手段と、前記画像形成手段で画像形成前に出力条件検知手段で検知した情報をもとに画像をレイアウトする画像レイアウト手段を備えたことを特徴とする画像形成装置。
【請求項２】
前記出力条件検知手段は、記録媒体の特性を検知する記録媒体特性検知手段であることを特徴とする請求項１記載の画像形成装置。
【請求項３】
前記出力条件検知手段は、後処理機の特性を検知する後処理機特性検知手段であることを特徴とする請求項１記載の画像形成装置。
【請求項４】
前記出力条件検知手段は、後処理枚数を検知する後処理枚数検知手段であることを特徴とする請求項１記載の画像形成装置。
【請求項５】
前記出力条件検知手段は、記録媒体の特性を検知する記録媒体特性検知手段と、後処理機の特性を検知する後処理機特性検知手段であることを特徴とする請求項１記載の画像形成装置。
【請求項６】
前記出力条件検知手段は、記録媒体の特性を検知する記録媒体特性検知手段と、後処理枚数を検知する後処理枚数検知手段であることを特徴とする請求項１記載の画像形成装置。
【請求項７】
前記出力条件検知手段は、後処理機の特性を検知する後処理機特性検知手段と、後処理枚数を検知する後処理枚数検知手段であることを特徴とする請求項１記載の画像形成装置。
【請求項８】
前記出力条件検知手段は、記録媒体の特性を検知する記録媒体特性検知手段と、後処理機の特性を検知する後処理機特性検知手段と、後処理枚数を検知する後処理枚数検知手段であることを特徴とする請求項１記載の画像形成装置。
【請求項９】
前記後処理機は中綴じ機であることを特徴とする請求項３又は５又は７又は８記載の画像形成装置。
【請求項１０】
前記後処理機は中折り機であることを特徴とする請求項３又は５又は７又は８記載の画像形成装置。
【請求項１１】
前記後処理枚数検知手段で検知した枚数が１である場合、画像レイアウト手段をスキップする画像レイアウトスキップ手段を備えたことを特徴とする請求項１から１０記載の画像形成装置。
【発明の詳細な説明】
【技術分野】
【０００１】
本発明は、画像形成システム、その制御方法、及び記憶媒体、並びに画像形成装置、その制御方法、及び記憶媒体に関する。
【背景技術】
【０００２】
従来、複写機等の画像形成装置において、画像形成装置やホスト上で製本レイアウトを行い、レイアウト画像をプリントし中綴じ出力する、製本プリント機能を利用可能にしている（特許文献１参照）。
【０００３】
画像形成装置にオンラインで接続されるフィニッシャの中綴じ機能は、プリントした用紙のセンターにステイプルし中折りを実行している。そのため、中綴じ後の出力結果を見ると、外側の用紙ほど内側に用紙を抱え込む事になり、膨らんでしまう可能性がある。従って、内側の用紙ほど綴じ位置からみて外に飛び出す事になる。それを解消するため、トリーマーという装置により、綴じ位置と反対側の不揃い部分をカットする事が検討されている（特許文献２参照）。
【０００４】
また、ページ毎の画像位置調整をホストコンピュータ上で行うユーティリティソフトなどを使用して、ページ毎にずらした画像をあらかじめ作成し、画像形成装置にプリント指示することも検討されている（特許文献３参照）。
【特許文献１】特許第３３６８１７５号
【特許文献２】特開２００３−２９２２３０号公報
【特許文献３】特開平１１−０９９７２４号公報
【発明の開示】
【発明が解決しようとする課題】
【０００５】
しかし、上述のように、用紙の端をカットしても内側の用紙と外側の用紙がずれて綴じられている事に変わりは無く、そのため画像位置もずれる可能性がある。ユーティリティソフトを使用してオリジナル画像をずらした画像を再作成しプリントすることも可能であるかもしれないが、ユーティリティソフトをホストコンピュータ上にインストールして、プリント毎に画像を再作成するなど、手間が要求される可能性があるやもしれないし、ずらす量の調整も面倒になるかもしれないのでそれに対処する必要もある。
【０００６】
本発明の目的は、画像形成装置において、出力条件に応じて自動的に画像のプリント位置を制御し、中綴じ及び中折り時の出力結果を良好なものにすることができる、画像形成システム、その制御方法、及び記憶媒体、並びに画像形成装置、その制御方法、及び記憶媒体を提供することにある。
【課題を解決するための手段】
【０００７】
上記目的を達成するために、請求項１記載の画像形成装置は、記憶手段に画像を記憶する画像記憶手段と、前記記憶手段に記憶された画像を記録媒体上に画像形成する画像形成手段を有する画像形成装置において、出力条件を検知する出力条件検知手段と、前記画像形成手段で画像形成前に出力条件検知手段で検知した情報をもとに画像をレイアウトする画像レイアウト手段を備えたことを特徴とする。
【０００８】
上記目的を達成するために、請求項２記載の画像形成装置は、請求項１記載の画像形成装置において、前記出力条件検知手段は、記録媒体の特性を検知する記録媒体特性検知手段であることを特徴とする。
【０００９】
上記目的を達成するために、請求項３記載の画像形成装置は、請求項１記載の画像形成装置において、前記出力条件検知手段は、後処理機の特性を検知する後処理機特性検知手段であることを特徴とする。
【００１０】
上記目的を達成するために、請求項４記載の画像形成装置は、請求項１記載の画像形成装置において、前記出力条件検知手段は、後処理枚数を検知する後処理枚数検知手段であることを特徴とする。
【００１１】
上記目的を達成するために、請求項５記載の画像形成装置は、請求項１記載の画像形成装置において、前記出力条件検知手段は、記録媒体の特性を検知する記録媒体特性検知手段と、後処理機の特性を検知する後処理機特性検知手段であることを特徴とする。
【００１２】
上記目的を達成するために、請求項６記載の画像形成装置は、請求項１記載の画像形成装置において、前記出力条件検知手段は、記録媒体の特性を検知する記録媒体特性検知手段と、後処理枚数を検知する後処理枚数検知手段であることを特徴とする。
【００１３】
上記目的を達成するために、請求項７記載の画像形成装置は、請求項１記載の画像形成装置において、前記出力条件検知手段は、後処理機の特性を検知する後処理機特性検知手段と、後処理枚数を検知する後処理枚数検知手段であることを特徴とする。
【００１４】
上記目的を達成するために、請求項８記載の画像形成装置は、請求項１記載の画像形成装置において、前記出力条件検知手段は、記録媒体の特性を検知する記録媒体特性検知手段と、後処理機の特性を検知する後処理機特性検知手段と、後処理枚数を検知する後処理枚数検知手段であることを特徴とする。
【００１５】
上記目的を達成するために、請求項９記載の画像形成装置は、請求項３または５または７または８記載の画像形成装置において、前記後処理機は中綴じ機であることを特徴とする。
【００１６】
上記目的を達成するために、請求項１０記載の画像形成装置は、請求項３または５または７または８記載の画像形成装置において、前記後処理機は中折り機であることを特徴とする。
【００１７】
上記目的を達成するために、請求項１０記載の画像形成装置は、請求項１から１０記載の画像形成装置において、前記後処理枚数検知手段で検知した枚数が１である場合、画像レイアウト手段をスキップする画像レイアウトスキップ手段を備えたことを特徴とする。
【発明の効果】
【００１８】
以上詳細に説明したように、請求項１から１１記載の画像形成装置によれば、装置が記憶媒体の特性・後処理機の特性・出力枚数などの出力条件を自動的に検知し画像シフト動作を行うため、ユーザに設定の手間を煩わせることなく中綴じ及び中折り時の出力結果を良好なものとすることができる。
【発明を実施するための最良の形態】
【００１９】
以下、本発明の実施の形態に係る画像形成システムについて図面を参照しながら詳細に説明する。
【００２０】
図１は、本発明の実施の形態に係る画像形成システムを示すブロック図である。
【００２１】
図１において、ワークステーション１１、パーソナルコンピュータ１２、大容量ストレージを有するサーバコンピュータ１３、画像を送受信するファックス１５、ネットワークスキャナ１６、プリントサーバ２０、マルチファンクションプリンタ２１、プリンタ２２、画像入力装置であるスキャナ１００、画像出力装置（画像形成装置）であるプリンタ１２０と、スキャナ１００とプリンタ１２０を制御するマルチファンクションコントローラ２００などが、イーサネット（登録商標）などのＬＡＮ１０に接続されて画像形成システム１が構成されている。この画像形成システム１において、スキャナ１００とプリンタ１２０のそれぞれがマルチファンクションコントローラ２００と専用バス（図示せず）により接続されている。
【００２２】
図２は、図１におけるマルチファンクションコントローラ２００の構成を示すブロック図である。
【００２３】
図２において、マルチファンクションコントローラ２００は画像情報やデバイス情報の入出力を行うコントローラであり、一方ではスキャナ１００やプリンタ１２０に接続され、他方ではＬＡＮ１０や公衆回線（ＷＡＮ）５０に接続される。
【００２４】
ＣＰＵ２０１はシステム全体を制御するコントローラである。ＲＡＭ２０２はＣＰＵ２０１が動作するためのシステムワークメモリであり、画像データを一時的に記憶するための画像メモリでもある。ＲＯＭ２０３はブートＲＯＭであり、システムのブートプログラムが格納されている。ＨＤＤ２０４はハードディスクドライブであり、システムソフトウェアや画像データなどが格納される。
【００２５】
操作部Ｉ／Ｆ２０６は操作部（ＵＩ）２１０に接続するためのインターフェース部であり、画像データを操作部２１０に出力する。この画像データに基づいて操作部２１０に画像が表示される。また、本システムの使用者が操作部２１０から入力した情報を、ＣＰＵ２０１に伝える役割をする。
【００２６】
Ｎｅｔｗｏｒｋ２０９はＬＡＮ１０に接続されており、情報の入出力を行う。Ｍｏｄｅｍ２２０は公衆回線５０に接続されており、この公衆回線５０を介して情報の入出力を行う。以上のデバイスがシステムバス２０７上に配置される。
【００２７】
Ｉｍａｇｅ  Ｂｕｓ  Ｉ／Ｆ２０５は、画像データを高速で転送する画像バス２０８とシステムバス２０７とを接続しており、データ構造を変換するバスブリッジである。画像バス２０８は、ＰＣＩバスなどの高速バスによって構成される。
【００２８】
画像バス２０８上には以下の各種デバイスが配置されている。ラスターイメージプロセッサ（ＲＩＰ）２３０はＰＤＬコードをビットマップイメージに展開するものである。デバイスＩ／Ｆ部２４０は、マルチファンクションコントローラ２００とスキャナ１００やプリンタ１２０とを接続し、画像データの同期系／非同期系の変換を行うものである。スキャナ画像処理部２５０は、入力画像データに対して補正、加工、編集などを行うものである。プリンタ画像処理部２６０は、プリント出力画像データに対して、プリンタの補正、解像度変換などを行うものである。画像回転部２７０は画像データの回転を行うものである。画像圧縮部２８０は、多値画像データをＪＰＥＧに圧縮伸張処理を行い、２値画像データをＪＢＩＧ、ＭＭＲ、ＭＨに圧縮伸張処理を行うものである。
【００２９】
また、ＨＤＤ２０４には、ネットワーク（ＬＡＮ１０）に接続されているノードに関する画像出力速度、設置位置などの情報がアドレス毎に保存されている。
【００３０】
図３は、図２におけるスキャナ１００の概略を示す概略斜視図である。
【００３１】
スキャナ１００は原稿の画像に光を照射し、ＣＣＤライセンサ（図示せず）で走査することによって原稿から画像情報を読み取り、読み取った画像情報をラスターイメージデータ３０として電気信号に変換する。原稿は原稿フィーダ１０１のトレイ１０２にセットされる。操作部２１０（図２参照）を操作して、ユーザが読み取りを起動する指示を出すと、マルチファンクションコントローラ２００のＣＰＵ２０１がその指示をスキャナ１００に与える。指示を受けたスキャナ１００は、原稿フィーダ１０１によって原稿を１枚ずつフィードして原稿上の画像の読み取りを実行する。
【００３２】
図４は、図２におけるプリンタ１２０の概略を示す概略斜視図である。
【００３３】
プリンタ１２０は、ラスターイメージデータ４０（図２参照）を記録紙上に画像として形成する。この画像形成の方式には感光体ドラムや感光体ベルト（いずれも図示せず）を用いた電子写真方式や微少ノズルアレイからインクを吐出して記録紙上に直接に画像を印字するインクジェット方式などがある。
【００３４】
プリント動作の起動は、ＣＰＵ２０１からの指示（ラスターイメージデータ４０）によって開始する。プリンタ１２０の内部には、記録紙のサイズや記録紙の向きを選択できるように複数の給紙段が設けられており、それらに対応した複数の給紙カセット１２２ａ、１２２ｂ、１２２ｃ、１２２ｄが装着されている。また、排紙トレイ１２３は、印字が終了した記録紙を受けるものである。プリンタ１２０にフィニッシャ１２４が装着されている場合は、印字された記録紙はフィニッシャ１２４に搬送される。
【００３５】
記録紙の両面に印字する場合は、片面に画像を印字した後にプリンタ１２０内で記録紙を反転する。その後、ＣＰＵ２０１からの指示４０に従い、まだ印字されていない面に画像を印字する。
【００３６】
フィニッシャ１２４が中綴じや中折り機能を備えている場合、フィニッシャ１２４の左下部にトリマー１２５が装着可能である。トリマー１２５はフィニッシャ１２４で中綴じなど製本出力された用紙を搬送し、綴じ側の逆サイドのトリミングを行う。このトリミング作業により、用紙端のそろった出力を得ることができる。
【００３７】
図５は、フィニッシャ１２４の詳細図である。図において、１４１は第１〜第３トレイ、１４３は排紙ローラ、１４４は揺動ガイド、１４５は第２搬送ローラ、１４６は高さセンサ、１４７は割り込みトレイ、１４８は着信表示ランプ、１４９は巻き付けフラッパ、１５０はバッファローラ、１５１は割り込みフラッパ、１５２はバッファ入り口フラッパ、１５３はサドルステッチャフラッパ、１５４は第１搬送ローラ、１５５は縦パス、１５６はステイプラ、１５７はローレットベルト、１５８はトレイ昇降モータ、１５９はサドルステッチャ部である。
【００３８】
プリンタ１２０から排出される用紙は、マルチファンクションコントローラ２００の指示に従い、バッファ入り口フラッパ１５２で排紙先をトレイ１（第１トレイ／第２トレイ／第３トレイ）に行うか、サドルステッチャ部１５９に行うかを切り替える。
【００３９】
まず、マルチファンクションコントローラ２００が排紙先をトレイ１（第１トレイ／第２トレイ／第３トレイ）に指定した場合、第１搬送ローラ１５４、ローレットベルト１５７、第２搬送ローラ１４５、排紙ローラ１４３により用紙が搬送される。一方、マルチファンクションコントローラ２００が排紙先をサドルステッチャ部１５９に指定した場合、バッファ入り口フラッパ１５２、縦パス１５５により、用紙が搬送される。
【００４０】
図６は、図５に示したフィニッシャ１２４のサドルステッチャ部１５９（製本処理部）の構成を示す断面図である。マルチファンクションコントローラ２００が製本出力を実行する場合、プリンタ１２０で記録紙に印字し、フィニッシャ１２４のサドルステッチャ部１５９に搬送する。
【００４１】
プリンタ１２０から送られてくる用紙は、用紙搬入部１６１から整合部１６２に送られる。整合部１６２に用紙が複数保持され、すべての画像データをプリンタ１２０が出力し、フィニッシャ１２４の整合部１６２に搬送した後、ステッチ部１６３で用紙の中央部をステイプルする。そして、束搬送部１６４へステイプルされた用紙束を搬入する。突き板１７０、ローラ１７１等の制御により、最終的に折り／搬送部１６５に排出される。
【００４２】
以下、本発明の画像形成システム１で行われる、製本印刷処理動作について、フィニッシャ１２４の製本機能がＡ３等の用紙の短辺が給紙方向に対向するサイズの用紙に対して行われるものとして説明する。
【００４３】
まず、図７を用いて画像形成システム１における製本処理について説明する。
【００４４】
図７は、本発明の画像形成装置における製本処理の一例を説明する模式図である。７０１は８ページ原稿の一例であり、それを左開きレイアウトしたものが７０２である。この製本面付けレイアウト作業はマルチファンクションコントローラ２００で行う場合と、ホスト側、例えばパーソナルコンピュータ１２で行う場合がある。製本レイアウトしてプリントしたものを中折り、中綴じする場合の模式図が７０３である。中折りや中綴じ後のトリマー１２５によるトリミング例が７０４である。用紙端を切断することにより綺麗な製本出力が行える。
【００４５】
次に、図８を用いて、画像再レイアウト処理を説明する。
【００４６】
プリントジョブが発生するとこのフローチャートを実行する。まずステップ８００１で製本レイアウトが必要かチェックを行う。必要であれば、ステップ８００２に進む。ホスト側で製本レイアウト済み原稿であったり、製本ジョブでない場合は、製本レイアウト処理が必要ないためステップ８００３に進む。ステップ８００２では図７のような製本レイアウト処理を行う。次にステップ８００３に進む。
【００４７】
ステップ８００３では中折り、中綴じジョブであるかどうかを判断する。中折りや中綴じが必要ないジョブである場合はこのフローチャートを終了する。必要である場合は、ステップ８００４に進む。ステップ８００４ではこのジョブの出力枚数を検知する。そのために、ジョブの最終ページが不明な場合は、ここで最終ページの画像蓄積まで待つ。変数Ｍに出力枚数を代入し、ステップ８００５に進む。ステップ８００５では出力枚数をチェックする。出力枚数が１枚の時は画像をシフトする必要がないため、このフローチャートを抜ける。２枚以上の場合はステップ８００６に進む。
【００４８】
ステップ８００６では出力用紙の記憶媒体をチェックする。厚紙と通常の普通紙では紙の厚みが違うため、この後の画像再レイアウト時の画像ずらし量に影響する。ステップ８００７では後処理機の特性をチェックする。中折りや中綴じを実行する後処理機の性能を調べ、係数として記録する。高性能な処理機であれば用紙を折ったときのたわみ量がすくなくなるが、簡易的な処理機である場合、たわみ量がおおくなるため、画像のずらし量にも影響する。次にステップ８００８に進む。
【００４９】
ステップ８００８ではこれまでの情報をもとにレイアウトテーブルを作成する。このテーブルをもとに、これから画像のずらし量を決定する。次にステップ８００９で、画像再レイアウト処理のループのため、枚数を示す変数Ｎに１を代入する。そして、ステップ８０１０に進む。
【００５０】
ステップ８０１０ではステップ８００８のレイアウトテーブルに基づきＮ枚目の画像再レイアウト処理を行う。白紙の面は画像をずらす必要がないため、処理をスキップする。そしてステップ８０１１に進む。ステップ８０１１では次の用紙処理のため変数Ｎを１つインクリメントして、ステップ８０１２に進む。ステップ８０１２では、ＮとＭを比較し、ＮがＭより大きければ画像再レイアウト処理が完了したことになるので、このフローチャートを抜ける。それ以外の場合は、ステップ８０１０に戻る。
【００５１】
図９は後処理機の種類による、用紙のプリント順が変わることの説明である。
【００５２】
プリンタ１２０のように用紙の出力方向が、この図で右から左になる場合で説明する。この場合、装着できる後処理機には２つのタイプがある。９００１のタイプと９１０１のタイプである。９００１のタイプは図５、図６のように出力用紙を折り部１６５にそのまま積載していくタイプである。よって、最初の出力用紙が９００２、最後の出力用紙が９００３となる。これを中折り、もしくは中綴じする場合、右から左に突き板１７０で突いてローラ１７１ではさむことにより、折り機能を実現している。９００４は出力２枚の時の例である。
【００５３】
９１０１のタイプは９１０１と逆のタイプで、プリンタ１２０が出力した用紙を一度スイッチバックして折り部に積載していくタイプである。よって、最初の出力用紙が９１０２、最後の出力用紙が９１０３となる。これを中折り、もしくは中綴じする場合、右から左に突き板で突いてローラではさむことにより、折り機能を実現している。９１０４は出力２枚の時の例である。したがって、９００１のタイプと出力結果は同じでも、それを実現するための用紙の出力順が異なることになる。９００１のタイプではＣＤＥＦが印字された用紙を先に出力する必要があるが、９１０１のタイプではＡＢＧＨが印字された用紙を先に出力する必要がある。そのため、ステップ８０１０でのＮ枚目の画像再レイアウト処理がまったく逆の処理となる。
【００５４】
図１０は用紙の厚みによる画像シフト量を示す図である。１０００１は該当用紙の外側部分の用紙厚みと画像シフト量の関係をあらわし、外側部分の用紙の厚みが増すほど、該当用紙の切断量が増加するため画像シフト量も増加する。
【００５５】
１０００２、１０００３は図７の７０４のトリミング時のトリミング位置を示している。ｙ１、ｙ２はそれぞれ、該当用紙の外側用紙の厚みから求めたシフト量となり、その該当用紙の両サイド外側部分がカットされることになる。この例では１０００２の用紙は一番外側にくるため、ｙ１は０となる。
【００５６】
１０００４は１０００３の元の画像で、１０００５と１０００６は１０００４の画像シフト後の画像である。１０００５と１０００６は中心線を軸に左右対称にそれぞれ内側にｙ２分だけ画像シフトしている。このように画像を内側にシフトすることにより、用紙外側部分の切断時にも画像が切れないようになる。
【００５７】
図１１は紙種ごとの厚みの関係を示す図である。折った時の外側の用紙から順次加算していき、該当する用紙の画像シフト量を図１０から計算する。
【００５８】
また、上記処理は画像制御装置において実行されるものとして説明したが、画像形成装置の制御部（図示せず）が上記処理を実行してもよい。
【００５９】
また、上記処理方法を記憶した任意の記憶媒体が、画像制御装置又は画像形成装置の制御部に上記処理方法を実行するプログラムを供給し、画像制御装置のＣＰＵ又は不図示のＭＰＵの何れか１つが上記プログラムを実行するようにしてもよい。あるいは、上記記憶媒体が、画像形成装置の制御部に上記プログラムを供給し、画像形成装置の不図示のＣＰＵ又はＭＰＵの何れか１つが上記プログラムを実行するようにしてもよい。上記記憶媒体としては、例えば、ハードディスク、ＲＯＭなどがある。
【００６０】
また、画像制御装置のＣＰＵ又はＭＰＵのいずれか１つの代わりに、これらと同様の動作をする不図示の回路が上述した実施の形態を実現してもよい。あるいは、画像形成装置の制御部のＣＰＵ又はＭＰＵのいずれか１つの代わりに、これらと同様の動作をする不図示の回路が上述した実施の形態を実現してもよい。
【００６１】
また、記憶媒体が供給する上記プログラムは、画像制御装置に挿入された不図示の機能拡張ボードや画像制御装置に接続された不図示の機能拡張ユニットに備わる不図示のメモリに書き込まれた後に、その機能拡張ボードや機能拡張ユニットに備わる不図示のＣＰＵ等が上記プログラムの一部又は全部を実行してもよい。あるいは、記憶媒体が供給する上記プログラムは、画像形成装置に挿入された不図示の機能拡張ボードや画像形成装置に接続された不図示の機能拡張ユニットに備わる不図示のメモリに書き込まれた後に、その機能拡張ボードや機能拡張ユニットに備わる不図示のＣＰＵ等が上記プログラムの一部又は全部を実行してもよい。
【図面の簡単な説明】
【００６２】
【図１】本発明の実施の形態に係る画像形成システムを示すブロック図である。
【図２】図１におけるマルチファンクションコントローラ２００の構成を示すブロック図である。
【図３】図２における白黒スキャナ１００の概略を示す概略斜視図である。
【図４】図２における低速白黒プリンタ１２０の概略を示す概略斜視図である。
【図５】図４におけるフィニッシャ１２４の詳細を示す図である。
【図６】図５におけるサドルステッチャ部１５９の詳細を示す図である。
【図７】製本処理の一例を説明する模式図である
【図８】画像再レイアウト処理のフローチャートである。
【図９】サドルへの用紙積載方法を示す図である。
【図１０】厚みによる画像ずらし量を示す図である。
【図１１】紙種毎の厚みを示すテーブルである。
【符号の説明】
【００６３】
１  画像形成システム
１０  イーサネット（登録商標）（ネットワーク）
１００  スキャナ
１２０  プリンタ（画像形成装置）
１２４  フィニッシャ
１２５  ステイプラユニット（後処理ユニット）
２００  マルチファンクションコントローラ
２１０  操作部
【図１】
2005142609.tif 000003
【図２】
2005142609.tif 000004
【図３】
2005142609.tif 000005
【図４】
2005142609.tif 000006
【図５】
2005142609.tif 000007
【図６】
2005142609.tif 000008
【図７】
2005142609.tif 000009
【図８】
2005142609.tif 000010
【図９】
2005142609.tif 000011
【図１０】
2005142609.tif 000012
【図１１】
2005142609.tif 000013